(57)【要約】【課題】ブラインドタッチで速くかつ簡単に文字を入力するキーボード型入力装置を提供する。【解決手段】【課題を解決するための手段】腰または携帯電話に固定された１５個の文字入力キーと、４個の文字変更キーから成るキーボード型文字入力装置と、携帯電話に備わったキー配列変更スイッチによりひらがな・数字・アルファベット・記号を入力することを特徴とする。【選択図】            図４
2004310705.tif 000002
【特許請求の範囲】
【請求項１】
ＪＩＳＸ６０６４−１９８６に定められる配列の１５個の入力キーからなるキーボード型入力装置であって、装置に接続されたキー配列変更スイッチにより、各キーを切り替え、２６文字のアルファベットと４文字の記号を入力し、アルファベットをひらがなに変換することで、ひらがなを入力することを特徴とするキーボード型入力装置。
【請求項２】
請求項１に記載されるキー配列変更スイッチを具備し、装置に接続することを特徴とする携帯電話。
【請求項３】
請求項１に記載される入力装置において入力文字を、ひらがな・数字・アルファベット・記号に切り替える４個のスイッチを備え、請求項１に記載される文字の他に１０個の数字と１９個の記号を入力することを特徴とするキーボード型入力装置。
【請求項４】
請求項１に記載される入力装置において、装置を腰または携帯電話に固定することを特徴とするキーボード型入力装置。
【請求項５】
請求項１に記載される入力装置において、出力はシリアル、パラレル、その他の規格により出力されることを特徴とするキーボード型入力装置。
【発明の詳細な説明】
【発明の属する技術分野】
【０００１】
この発明は、キーボード型入力装置に関し、特に携帯電話に接続し、文字を入力する装置に関する。
【０００２】
【従来の技術】
従来携帯電話に文字を入力する装置が提案されている。（特許文献１参照。）
【０００３】
【特許文献１】
特開２００２−３６８８４５号公報
【０００４】
【発明が解決しようとする課題】
従来の装置は次のような欠点があった。
イ．入力キーが小さく文字が入力しにくかった。
ロ．装置を携帯電話に固定する構造であるため、文字入力を行う度携帯電話に取り付ける必要があり、取り付けた後に電話の着信があると装置を直ちに取り外す必要があった。
本発明は、以上の欠点を解決するためになされたものである。
【０００５】
【課題を解決するための手段】
ＪＩＳＸ６０６４−１９８６の規格に基づいて配列された１５個のキーと、４個の文字変換キーから成り、外部からＯＮ／ＯＦＦ信号を入力する装置を構成した。そして上記装置を腰または携帯電話に固定する装置を構成した。また、出力はシリアル、パラレルその他の規格により出力されるキーボード型入力装置を構成した。さらに、ＯＮ／ＯＦＦ信号を装置に入力するキー配列変更スイッチを具備した携帯電話を構成した。
【０００６】
【発明の実施の形態】
この発明の実施の形態を図１を参照して説明する。図１（ａ）はこの発明のキーボード型入力装置のキーボードを示す図であり、図１（ｂ）は固定用バンドを表す図である。この発明によるキーボード型入力装置１は、文字入力キー２と、文字変更キー３と、携帯電話に接続するコネクタ４と、装置を腰に固定する固定用バンド５より成る。文字の入力は１５個から成る文字入力キーと外部に接続されたキー配列変更スイッチを押圧して行う。キー配列変更スイッチについては後で説明される。入力文字変換キーは入力する文字の種類により所望の文字を選択する。
入出力コネクタ４は携帯電話に接続され、携帯電話への入力文字の出力、携帯電話からのキー配列変更スイッチの入力を行う。装置の背面には固定用バンドが取り付けられており、バンドを腰に巻いて取り付け金具９を繋ぐことにより装置を腰に固定する。文字の入力方法については後で説明される。
【０００７】
図２を参照して携帯電話７を説明する。携帯電話７は入出力コネクタ４でキーボード型入力装置に接続されており装置の文字入力情報が携帯電話７に出力される。また、携帯電話７はキー配列変更スイッチ６を備えており、ＯＮ／ＯＦＦ信号を入出力コネクタ４によりキーボード型入力装置へ出力する。
【０００８】
図３を参照してキーボード型入力装置１および携帯電話７の内部回路を説明する。４個の文字変更キー３と１５個の文字入力キーのＯＮ／ＯＦＦ信号はインターフェイス回路８に入力される。また、携帯電話７に備えられた、キー配列変更スイッチ６のＯＮ／ＯＦＦ信号は入出力コネクタ４を介してキーボード型入力装置１のインターフェイス回路８に入力される。インターフェイス回路８は上記２０個のＯＮ／ＯＦＦ信号より文字情報をシリアル・パラレル・その他の信号に変換して入出力変換コネクタ４を介して携帯電話に出力する。
【０００９】
図４を参照して本装置の使用形態を説明する。キーボード型入力装置１は固定用バンド５により腰に固定される。携帯電話７は左手で支持され、装置とケーブルによって接続される。キーボード型入力装置１は右手で操作され、同時に携帯電話７に備えられたキー配列変更スイッチ６は左手親指で操作される。装置は腰に固定されることで持ち運びに便利であり、ブラインドタッチによる文字入力が簡単に行える。
【００１０】
以上本発明のキーボード型入力装置を腰に固定してケーブルで携帯電話と接続する使用形態を説明したが、ケーブルを使用せずに、赤外線等により携帯電話と装置間の信号を伝送してもよい。また、キーボード型入力装置を腰に固定せずに、携帯電話と一体化してもよい。
【００１１】
以下、この発明のキーボード型入力装置による入力方法について、図１（ａ）、図２ないし図５を参照して説明する。図５は図１（ａ）の文字変更キー３のひらがなまたはアルファベットが選択された場合の文字入力キーの配列である。文字変更キーが一度選択されると、ひらがなあるいはアルファベットモードに入り、次に他の文字変更キーが選択されるまではその状態を保持する。図５（ａ）は図２のキー配列変更スイッチ２が押圧されている状態の時のキー配列であり、図５（ｂ）は押圧されていない時のキー配列である。これによりキー配列変更スイッチと文字入力キーの組み合わせによりアルファベット２６文字と４つの記号の入力が可能となる。文字変更キーのアルファベッドが選択されている場合には、入力したアルファベットの文字情報が携帯電話に出力され、ひらがなが選択されている場合はアルファベットで入力した情報をひらがなに変換した文字情報が携帯電話に出力される。文字入力キーはＪＩＳＸ６０６４−１９８６の規格に合わせて配列されており、入力が容易に行える。
【００１２】
図６は数字モードが選択された場合の数字モードキー配列を示す図である。図７は記号モードが選択された場合の記号モードキー配列を示す図である。これらのモードの場合はキー配列変更スイッチは使用しない。上記４つのモードで入力できない文字の変換・カーソルの移動等の操作は左手により携帯電話に備えられたキーにより行う。上記のように両手を使用することで文字を速く入力することが可能となる。
【００１３】
以上、本発明を携帯電話の入力装置としての実施形態を用いて説明したが、本発明の技術的範囲は上記実施形態に記載の範囲には限定されない。上記実施形態に、多用な変更または改良を加えることができる。そのような変更または改良を加えた形態も本発明の技術的範囲に含まれることが、請求範囲の記載から明らかである。
【００１４】
【発明の効果】
以上の通りであってこの発明のキーボード型の入力装置は、入力キーの数が１５個、文字変更キーの数が４個と少ないが、上述の通りにして携帯電話に接続し、ひらがな・数学・アルファベット・記号の入力することができる。そして腰に固定することで持ち運びに便利であり、従来の携帯電話用入力装置と比較して同等の大きさで実現可能である。また入力キーの大きさをパソコンのキーボードと同等の大きさにすることで、ブラインドタッチでの入力が可能である。
【図面の簡単な説明】
【図１】本発明のキーボード型入力装置を示す図。
【図２】本発明の携帯電話を示す図。
【図３】本発明の各ブロックを示す図。
【図４】本発明の実施例を説明する図。
【図５】ひらがな・アルファベットが選択された場合のひらがな・アルファベットモードキー配列を示す図。
【図６】数字が選択された場合の数字モードキー配列を示す図。
【図７】記号が選択された場合の記号モードキー配列を示す図。
【符号の説明】
１  キーボード型入力装置
２  文字入力キー
３  文字変更キー
４  入出力コネクタ
５  固定用バンド
６  キー配列変更スイッチ
７  携帯電話
８  インターフェイス回路
【図１】
2004310705.tif 000003
【図２】
2004310705.tif 000004
【図３】
2004310705.tif 000005
【図４】
2004310705.tif 000006
【図５】
2004310705.tif 000007
【図６】
2004310705.tif 000008
【図７】
2004310705.tif 000009